(57)【特許請求の範囲】
【請求項１】
端末装置と、前記端末装置と組み合わせて使用される付属品とを、保管庫に格納して管理する物品管理システムであって、
前記端末装置は、撮像部を備え、
前記付属品には、付属品を特定するための特定情報が特定標識として付され、
前記端末装置および前記付属品は、前記撮像部が前記特定標識を撮影することができるように、前記端末装置および前記付属品を配置する撮影サポート部材を用いて、前記保管庫に格納され、
前記撮像部で撮影された画像から前記特定標識を読み取る読み取り部と、
前記端末装置と組み合わせて使用される付属品の特定情報があらかじめ記憶された特定情報リストと、
前記読み取り部で読み取られた特定標識を、前記特定情報リストと照合して、前記付属品の有無を判定する照合部と、
を備えた物品管理システム。
【請求項２】
前記撮影サポート部材は、前記特定標識を反射させて前記撮像部による撮影を可能にする鏡である
請求項１に記載の物品管理システム。
【請求項３】
前記撮影サポート部材は、前記特定標識を透過させて前記撮像部による撮影を可能にする透明な板である
請求項１に記載の物品管理システム。
【請求項４】
前記撮影サポート部材は、前記撮像部と前記特定標識とが互いに対向するように前記端末装置および前記付属品を立てかけさせる立てかけガイドである
請求項１に記載の物品管理システム。
【請求項５】
前記撮像部が、前記特定標識とともに前記付属品の形状を撮影し、
前記照合部が、前記撮像部で撮影された前記付属品の形状の画像と、あらかじめ記憶された基準画像との一致度に基づいて、前記付属品が前記端末装置と組み合わせて使用される付属品であることを判定する
請求項１から請求項４までの何れか１項に記載の物品管理システム。
【請求項６】
前記照合部は、タイマー起動によって照合処理を実行する
請求項１から請求項５までの何れか１項に記載の物品管理システム。
【請求項７】
請求項１から請求項６までの何れか１項に記載の物品管理システムに適用される端末装置であって、
前記読み取り部と、前記特定情報リストと、前記照合部と、
を備えた端末装置。
【請求項８】
請求項１から請求項６までの何れか１項に記載の物品管理システムに適用される照合装置であって、
前記読み取り部と、前記特定情報リストと、前記照合部と、
を備えた照合装置。
【請求項９】
請求項１から請求項６までの何れか１項に記載の物品管理システムに適用される保管庫であって、
前記撮影サポート部材
を備えた保管庫。
【請求項１０】
前記端末装置の電源オンおよびオフと連動して点灯および消灯する照明
をさらに備えた
請求項９に記載の保管庫。
【請求項１１】
端末装置と、前記端末装置と組み合わせて使用される付属品とを、保管庫に格納して管理する物品管理システムで実行される物品管理方法であって、
付属品を特定するための特定情報として、前記付属品に付された特定標識を撮影する撮像ステップと、
前記撮像ステップで撮影された画像から前記特定標識を読み取る読み取りステップと、
前記読み取りステップで読み取られた特定標識を、前記端末装置と組み合わせて使用される付属品の特定情報があらかじめ記憶された特定情報リストと照合して、前記付属品の有無を判定する照合ステップと、
を有する物品管理方法。
【発明の詳細な説明】
【技術分野】
【０００１】
この発明は、端末装置と、端末装置と組み合わせて使用される付属品とを、保管庫に格納して管理する物品管理システム、物品管理システムに適用される端末装置、保管庫および照合装置、並びに物品管理方法に関する。
【背景技術】
【０００２】
端末装置である保守用端末（例えば、ノートＰＣ）と組み合わせて使用される付属品（例えば、保守対象と保守用端末との接続インターフェース）は、保守用端末と同じレベルで管理する必要がある。ここで、保守用端末については、保守用端末の出入り状況を管理する管理システムが知られている（例えば、非特許文献１参照）。
【０００３】
しかしながら、付属品は単機能の基板等であることから、自動的に管理を行うシステムを構築することは困難である。そのため、付属品を紛失していないかを確認するために、保守用端末の使用者とは別の確認者が目視で確認して保管庫に格納しているが、業務負荷の増大を引き起こしている。
【０００４】
そこで、付属品等の物品の出し入れに関して、保管箱に、物品の出し入れを所定条件のもと制限する物品出し入れ制限部が設けられ、物品が保管箱に存在するのを検知し、物品の保管箱からの取り出し毎または保管箱への戻し入れ毎に偽造防止付き二次元コードシートが読み取られ、かつ撮影され、物品の出し入れを行う取扱者の生体情報が読み取られ、取扱者が正当取扱者であることを確認する生体認証が行われ、保管箱と物品ＩＤ認識部との間での物品の移動状況が動画像として撮影される物品出し入れ管理システムが知られている（例えば、特許文献１参照）。
【先行技術文献】
【特許文献】
【０００５】
【特許文献１】特開２０１１−９８８３１号公報
【非特許文献】
【０００６】
【非特許文献１】“モバイル・コンピューター現品管理システム”、[online]、［２０１４年５月１３日検索］、インターネット<URL:http://www.intel.co.jp/content/www/jp/ja/enterprise-security/enterprise-security-vpro-meltec-mobile-computer-management-system-study.html>
【発明の概要】
【発明が解決しようとする課題】
【０００７】
しかしながら、従来技術には、以下のような課題がある。
すなわち、従来の物品出し入れ管理システムでは、物品の出し入れを管理するのに、物品出し入れ制限部、物品ＩＤ認識部、取扱者生体認証部、動画像撮影カメラおよび物品出し入れ管理装置といった大がかりな設備が必要になり、構成が複雑になるとともにコストが高くなるという問題がある。
【０００８】
この発明は、上記のような課題を解決するためになされたものであり、簡素な構成で低コストに付属品の出入り状況を管理することができる物品管理システムを得ることを目的とする。
【課題を解決するための手段】
【０００９】
この発明に係る物品管理システムは、端末装置と、端末装置と組み合わせて使用される付属品とを、保管庫に格納して管理する物品管理システムであって、端末装置は、撮像部を備え、付属品には、付属品を特定するための特定情報が特定標識として付され、端末装置および付属品は、撮像部が特定標識を撮影することができるように、端末装置および付属品を配置する撮影サポート部材を用いて、保管庫に格納され、撮像部で撮影された画像から特定標識を読み取る読み取り部と、端末装置と組み合わせて使用される付属品の特定情報があらかじめ記憶された特定情報リストと、読み取り部で読み取られた特定標識を、特定情報リストと照合して、付属品の有無を判定する照合部と、を備えたものである。
【発明の効果】
【００１０】
この発明に係る物品管理システムによれば、端末装置および付属品は、端末装置の撮像部が、付属品に付された特定標識を撮影することができるように、端末装置および付属品を配置する撮影サポート部材を用いて、保管庫に格納され、読み取り部は、撮像部で撮影された画像から特定標識を読み取り、照合部は、読み取り部で読み取られた特定標識を、付属品の特定情報があらかじめ記憶された特定情報リストと照合して、付属品の有無を判定する。
そのため、端末装置および付属品を保管庫に格納したまま、簡素な構成で低コストに付属品の出入り状況を管理することができる。
【図面の簡単な説明】
【００１１】
【図１】この発明の実施の形態１に係る物品管理システムの外観を示す構成図である。
【図２】図１に示した保守用端末の外形を示す構成図である。
【図３】図１に示した付属品の外形を示す構成図である。
【図４】図１に示した保管庫の１個分を抜き出して示す構成図である。
【図５】この発明の実施の形態１に係る物品管理システムを示す保守用端末のブロック構成図である。
【図６】図１に示した保管庫の１個分を抜き出して示す別の構成図である。
【図７】図１に示した保守用端末の外形を示す別の構成図である。
【発明を実施するための形態】
【００１２】
以下、この発明に係る物品管理システムの好適な実施の形態につき図面を用いて説明するが、各図において同一、または相当する部分については、同一符号を付して説明する。
【００１３】
実施の形態１．
図１は、この発明の実施の形態１に係る物品管理システムの外観を示す構成図である。図１において、保管庫１は、保守用端末（端末装置）２と、保守用端末２と組み合わせて使用される付属品３とを格納して管理する。
【００１４】
図２は、図１に示した保守用端末２の外形を示す構成図である。図２において、保守用端末２には、折りたたんだ状態で外部に露出するカメラ（撮像部）２１が設けられている。また、図３は、図１に示した付属品３の外形を示す構成図である。図３において、付属品３には、特定標識であるＱＲコード（登録商標）３１が貼り付けられている。
【００１５】
ここで、ＱＲコード３１は、付属品３を特定するための特定情報（例えば、シリアル番号）をコード化したものである。なお、特定標識は、ＱＲコードに限定されず、他の一次元コードや二次元コードであってもよい。
【００１６】
一次元コードまたは二次元コードは、例えばバーコードや上述したＱＲコード等であり、文字データや数値データを、所定の規則により縞状やマトリックス状にコード化した図案を印刷したものである。この図案を光学的に読み取り、逆コード化することで、元の文字データや数値データを再現することができる。
【００１７】
図４は、図１に示した保管庫１の１個分を抜き出して示す構成図である。図１を参照すると、保管庫１の１個分は、床板、天板および壁板で囲まれている。図４において、保管庫１は、棚板１１と、棚板１１の上側に設けられ、鏡面が棚板１１向きに配置された鏡（撮影サポート部材）１２とを有している。このとき、棚板１１と鏡１２とは、複数段用意してもよい。
【００１８】
保管庫１には、保守用端末２と付属品３とが、棚板１１の上に重ねて格納される。このとき、保守用端末２のカメラ２１が上面を向くように配置され、付属品３のＱＲコード３１も上面を向くように配置される。これにより、鏡１２を用いて、保守用端末２のカメラ２１が、付属品３に貼り付けられたＱＲコード３１を撮影することができる。
【００１９】
また、保管庫１には、非特許文献１に示されているように、保守用端末２と外部の機器とが通信するためのＬＡＮケーブル１３と、保守用端末２に電力を供給するための電源ケーブル１４とが設けられていてもよい。
【００２０】
また、保管庫１に保守用端末２のＵＳＢ端子から電源供給され、保管庫１の内部を照らす照明（図示せず）を設けて、保管庫１を扉のついたボックスとしてもよい。ここで、この照明の点灯／消灯は、保守用端末２の電源オン／オフと連動するように設定されている。なお、保守用端末２に照明が設けられている場合には、保管庫１の照明は必ずしも必要ではない。
【００２１】
図５は、この発明の実施の形態１に係る物品管理システムを示す保守用端末２のブロック構成図である。図５において、保守用端末２は、カメラ２１、画像反転部２２、ＱＲコード読み取り部（読み取り部）２３、特定情報リスト２４、特定情報照合部（照合部）２５、照合結果通知部２６およびタイマー起動部２７を有している。
【００２２】
ここで、保守用端末２による照合処理は、例えばタイマー起動部２７によって保守用端末２が自動起動した際に、定期的に実行される。具体的には、照合処理は、例えば夜間、持ち帰った保守用端末２を保管庫１に格納した状態で、保守用端末２がタイマー起動して実行される。
【００２３】
また、ＬＡＮケーブル１３を接続した外部の端末から、Ｗａｋｅ  ｏｎ  ＬＡＮやリモートデスクトップ等の遠隔操作により遠隔起動し、照合を実行してもよい。
【００２４】
カメラ２１は、鏡１２に反射した付属品３のＱＲコード３１を撮影する。画像反転部２２は、カメラ２１で撮影された画像を左右反転する。ＱＲコード読み取り部２３は、画像反転部２２で反転された画像のＱＲコード３１から、付属品３を特定するための特定情報を読み取る。
【００２５】
特定情報リスト２４には、保守用端末２と組み合わせて使用される付属品３の特定情報があらかじめ記憶されている。ここで、保守用端末２と組み合わせて使用される付属品３が複数（例えば付属品３ａ、３ｂ、３ｃ、３ｄ、３ｅ等）ある場合には、特定情報リスト２４に複数の特定情報が記憶される。
【００２６】
特定情報照合部２５は、ＱＲコード読み取り部２３で読み取られた特定情報を、特定情報リスト２４と照合して、付属品３の有無および付属品３が保守用端末２と組み合わせて使用される適切な付属品３であるかを判定する。照合結果通知部２６は、特定情報照合部２５で判定された照合結果を、例えば外部の管理装置に通知する。
【００２７】
具体的には、特定情報照合部２５は、特定情報リスト２４と照合する特定情報がない場合、すなわちＱＲコード読み取り部２３で特定情報を読み取れない場合には、付属品３がないと判定する。
【００２８】
また、特定情報照合部２５は、ＱＲコード読み取り部２３で読み取られた特定情報が特定情報リスト２４に含まれていない場合には、付属品３が保守用端末２と組み合わせて使用される適切な付属品３ではないと判定する。
【００２９】
また、特定情報照合部２５は、ＱＲコード読み取り部２３で読み取られた特定情報が特定情報リスト２４に含まれている場合には、保守用端末２と組み合わせて使用される適切な付属品３があると判定する。
【００３０】
管理装置は、特定情報照合部２５に判定された照合結果を蓄積し、確認者が全ての付属品３を一括で確認することができるようになっている。なお、管理装置は、保守用端末２からの照合結果がない場合には、保守用端末２自体がないと判定する。
【００３１】
以上のように、実施の形態１によれば、端末装置および付属品は、端末装置の撮像部が、付属品に付された特定標識を撮影することができるように、端末装置および付属品を配置する撮影サポート部材を用いて、保管庫に格納され、読み取り部は、撮像部で撮影された画像から特定標識を読み取り、照合部は、読み取り部で読み取られた特定標識を、付属品の特定情報があらかじめ記憶された特定情報リストと照合して、付属品の有無を判定する。
そのため、端末装置および付属品を保管庫に格納したまま、簡素な構成で低コストに付属品の出入り状況を管理することができる。
【００３２】
また、保管庫に格納した付属品３の有無を、特定情報照合部によって判定し、外部に通知するようにしたことで、付属品を紛失していないかを自動的に確認できるようになり、業務負荷を低減することができる。
【００３３】
さらに、特定標識の読み取りおよび照合を、端末装置に付属の撮像部および端末装置のプログラムで実行することができるので、保管庫自体に情報処理機能を付加する必要がなく、システム導入に伴うコストの上昇を抑制することができる。
【００３４】
なお、上記実施の形態１では、保守用端末２で照合処理が実行されると説明した。しかしながら、これに限定されず、保守用端末２は、カメラ２１とカメラで撮影した画像を外部の照合装置に送信する画像送信部とのみを有していてもよい。この場合には、照合装置に画像反転部、ＱＲコード読み取り部、特定情報リスト、特定情報照合部を設けることにより、照合装置側でＱＲコードの読み取り等を実行することができる。
【００３５】
また、上記実施の形態１では、保守用端末２のカメラ２１が、付属品３に貼り付けられたＱＲコード３１を撮影すると説明した。しかしながら、ＱＲコードを読み取るだけでは、例えばＱＲコードがコピーされて別の物品に貼り付けられた場合に、付属品３の出入りを正確に管理することができないという問題がある。
【００３６】
そこで、保守用端末２のカメラ２１が、付属品３に貼り付けられたＱＲコード３１とともに、付属品３の形状を撮影し、特定情報照合部２５が、背景差分法を用いた画像認識により、カメラ２１で撮影された付属品３の形状の画像と、あらかじめ保守用端末２に記憶された基準画像との一致度に基づいて、保守用端末２と組み合わせて使用される付属品３であることを判定してもよい。
【００３７】
このとき、画像の一致度が所定のしきい値以上となった場合に、保守用端末２と組み合わせて使用される付属品３であると判定される。これにより、ＱＲコード３１の読み取りによる判定と、付属品３の形状の画像による判定とを組み合わせることで、付属品３の出入りを正確に管理することができる。
【００３８】
また、上記実施の形態１では、保守用端末２と付属品３とが、棚板１１の上に重ねて格納され、鏡１２の鏡面が棚板１１向きに配置されていることにより、保守用端末２のカメラ２１が、付属品３に貼り付けられたＱＲコード３１を撮影すると説明した。しかしながら、これに限定されず、以下の構成によって、カメラ２１がＱＲコード３１を撮影してもよい。
【００３９】
図６は、図１に示した保管庫の１個分を抜き出して示す別の構成図である。図６において、保管庫１は、棚板１１と、棚板１１の上側に設けられた透明なアクリル板（撮影サポート部材）１５とを有している。また、保守用端末２は、カメラ２１が上面を向くように棚板１１の上に格納され、付属品３は、ＱＲコード３１が下面を向くようにアクリル板１５の上に格納されている。この場合でも、保守用端末２のカメラ２１が、付属品３に貼り付けられたＱＲコード３１を撮影することができる。
【００４０】
また、その他の構成として、例えば滑り止めである立てかけガイド（撮影サポート部材）を用いて、保管庫１の対向する壁板に、保守用端末２と付属品３とが、それぞれカメラ２１とＱＲコード３１とが互いに対向するように立てかけて格納されてもよい。この場合でも、保守用端末２のカメラ２１が、付属品３に貼り付けられたＱＲコード３１を撮影することができる。
【００４１】
また、上記実施の形態１では、保守用端末２のカメラ２１が、付属品３に貼り付けられたＱＲコード３１を撮影すると説明したが、これに限定されず、図７に示されるように、保守用端末のＩＣカードリーダ２８が、付属品に貼り付けられたＩＣカードを読み取る場合であっても、同様の効果を得ることができる。
【符号の説明】
【００４２】
１  保管庫、２  保守用端末（端末装置）、３  付属品、１１  棚板、１２  鏡（撮影サポート部材）、１３  ＬＡＮケーブル、１４  電源ケーブル、１５  アクリル板（撮影サポート部材）、２１  カメラ（撮像部）、２２  画像反転部、２３  ＱＲコード読み取り部（読み取り部）、２４  特定情報リスト、２５  特定情報照合部（照合部）、２６  照合結果通知部、２７  タイマー起動部、２８  ＩＣカードリーダ、３１  ＱＲコード（特定標識）。
【図１】
0006305241.tif 000002
【図２】
0006305241.tif 000003
【図３】
0006305241.tif 000004
【図４】
0006305241.tif 000005
【図５】
0006305241.tif 000006
【図６】
0006305241.tif 000007
【図７】
0006305241.tif 000008